(57)【要約】【課題】本発明の課題は、癌判定に応用することのできる、Ｋｕ７０に対する自己抗体の測定方法を提供することである。【解決手段】検体中のＫｕ７０に対する自己抗体を、試薬としてのＫｕ７０抗原と反応させて、生成する自己抗体とＫｕ７０抗原との免疫複合体を標識抗ヒトイムノグロブリン抗体、プロテインＡ等により測定することにより、その自己抗体を測定することができ、それによって原発性肝細胞癌などの癌を判定することができる。【選択図】なし【特許請求の範囲】
【請求項１】
検体中のＫｕ７０に対する自己抗体と試薬としてのＫｕ７０抗原とを反応させ、生成するＫｕ７０に対する自己抗体とＫｕ７０抗原との免疫複合体を測定することにより、その自己抗体を測定することを特徴とする、Ｋｕ７０に対する自己抗体の免疫測定方法。
【請求項２】
検体が血液由来検体である、請求項１に記載の免疫測定方法。
【請求項３】
免疫測定方法が、酵素免疫測定方法、蛍光免疫測定方法、化学発光免疫測定方法、又は放射免疫測定方法である、請求項１または２に記載の免疫測定方法。
【請求項４】
癌判定に用いるための、請求項１から３のいずれかに記載の免疫測定方法。
【請求項５】
癌が原発性肝細胞癌である、請求項４に記載の免疫測定方法。
【請求項６】
試薬成分として少なくともＫｕ７０抗原を含むことを特徴とする、Ｋｕ７０に対する自己抗体免疫測定用キット。
【請求項７】
Ｋｕ７０抗原が水不溶性担体に結合されている、請求項６に記載のキット。
【請求項８】
さらに、Ｋｕ７０に対する自己抗体と結合する標識された試薬を含む、請求項７に記載のキット。
【請求項９】
Ｋｕ７０に対する自己抗体と結合する標識された試薬が、抗ヒトイムノグロブリン抗体、プロテインＡ、プロテインＧまたはＩｇＧポリクローナル抗体である、請求項８に記載のキット。
【請求項１０】
癌判定に用いるための、請求項６から９のいずれかに記載のキット。
【請求項１１】
癌が原発性肝細胞癌である、請求項１０に記載のキット。
【請求項１２】
検体中のＫｕ７０に対する自己抗体を測定することにより、癌であることを判定する、癌判定方法。
【請求項１３】
健常人由来の検体中のＫｕ７０に対する自己抗体の量に比べて、検体中のＫｕ７０に対する自己抗体の量が多い場合に、該検体は癌患者由来の検体であると判定する、請求項１２に記載の癌判定方法。
【請求項１４】
検体中のＫｕ７０に対する自己抗体と試薬としてのＫｕ７０抗原とを反応させ、生成するＫｕ７０に対する自己抗体とＫｕ７０抗原との免疫複合体を測定することにより、その自己抗体を測定する、請求項１２または１３に記載の癌判定方法。
【請求項１５】
検体が血液由来検体である、請求項１２から１４のいずれかに記載の癌判定方法。
【請求項１６】
癌が原発性肝細胞癌である、請求項１２から１５のいずれかに記載の癌判定方法。
【発明の詳細な説明】
【技術分野】
【０００１】
本発明は、Ｋｕ７０に対する自己抗体を測定するための免疫測定方法、それに用いるキットおよびそれを用いた癌判定方法に関するものである。Ｋｕ７０に対する自己抗体は、特に原発性肝細胞癌患者の血中に特異的に出現するものであり、したがって、本発明のＫｕ７０に対する自己抗体の免疫測定方法は、原発性肝細胞癌の判定に利用することができる。
【背景技術】
【０００２】
Ｋｕ７０は、二重鎖ＤＮＡ切断に関与する蛋白質であり、Ｋｕ８６と共にヘテロ二量体を形成し、そのＫｕヘテロ二量体は、ＤＮＡ依存性プロテインキナーゼ等と共同で、二重鎖ＤＮＡ切断を修復することができるとされている（非特許文献１）。
他方、アガロース２次元電気泳動に２Ｄ−ＤＩＧＥ法（two-dimensional fluorescence difference gel electrophrosis）を適用した改良アガロース２次元電気泳動法（非特許文献２）により、原発性肝細胞癌の癌部および周辺の非癌部組織の蛋白発現量の比較をプロテオーム解析により行ない、Ｋｕ８６が癌部に多く発現されることが明らかになっている（非特許文献３）。また、原発性肝細胞癌患者において、Ｋｕ８６に対する自己抗体の測定により原発性肝細胞癌の早期診断が可能であることが明らかになっている（非特許文献４および特許文献１）。更には、Ｋｕ８６とその自己抗体との複合体の測定により原発性肝細胞癌の診断が可能であることも明らかになっている（特許文献２）。
更に、Ｋｕヘテロ二量体の核や細胞質における高発現が、肝細胞癌培養細胞株や肝細胞癌組織で示されている（非特許文献５）。
【先行技術文献】
【特許文献】
【０００３】
【特許文献１】国際公開第ＷＯ２０１１/０９００１７Ａ１号
【特許文献２】国際公開第ＷＯ２０１１/０９９４３５Ａ１号
【非特許文献】
【０００４】
【非特許文献１】Li et al., Proc. Natl. Acad. Sci. USA, Vol.9, No.2, 832-837, 2002
【非特許文献２】Takeshi Tomonaga et al., Clin. Cancer Res. 2004;10:2007-2014
【非特許文献３】Masanori Seimiya et al., Hepatology 2008;48:519-30
【非特許文献４】Fumio Nomura et al., BBRC 421 2012 837-843
【非特許文献５】J.M. Luk et al., Proteomics 5 2005 1980-1986
【発明の概要】
【発明が解決しようとする課題】
【０００５】
本発明者らは、血液検体中のＫｕ７０の存在について研究を続けたところ、驚くべきことに、血液検体中にＫｕ７０に対する自己抗体が存在する場合があり、癌患者の場合、その自己抗体の量が多いことを見出した。したがって、本発明の目的は、癌判定に応用することのできる、Ｋｕ７０に対する自己抗体の測定方法およびそれに用いるキットを提供することである。更に、本発明の目的は、Ｋｕ７０に対する自己抗体の測定による癌判定方法を提供することである。
【課題を解決するための手段】
【０００６】
本発明者らは、検体中のＫｕ７０に対する自己抗体を、試薬としてのＫｕ７０抗原と反応させて、生成する自己抗体とＫｕ７０抗原との免疫複合体を標識抗ヒトイムノグロブリン抗体またはプロテインＡにより測定することにより、その自己抗体を測定することができ、それによって癌判定が可能になることを見出し、本発明を完成させた。
従って、本発明は、検体中のＫｕ７０に対する自己抗体と試薬としてのＫｕ７０抗原とを反応させ、生成するＫｕ７０に対する自己抗体とＫｕ７０抗原との免疫複合体を測定することにより、その自己抗体を測定することを特徴とする、Ｋｕ７０に対する自己抗体の免疫測定方法に関する。
更に、本発明は、試薬成分として少なくともＫｕ７０抗原を含むことを特徴とする、Ｋｕ７０に対する自己抗体免疫測定用キットに関する。
更に、本発明は、検体中のＫｕ７０に対する自己抗体を測定することにより、癌であることを判定する、癌判定方法に関する。
【発明の効果】
【０００７】
本発明においては、検体として血液由来検体を用いて、血液由来検体中に存在するＫｕ７０に対する自己抗体を免疫測定方法により簡単に測定でき、Ｋｕ７０に対する自己抗体の量に基づいて原発性肝細胞癌などの癌患者を判定することができる。また、本発明の判定方法を、原発性肝細胞癌マーカーとして広く使用されているＡＦＰ（α−フェトプロテイン）やＰＩＶＫＡＩＩ（protein induced by vitamin-K absence II）による判定と組み合わせることにより、更に高い診断能で原発性肝細胞癌などの癌患者を判定することができる。
【図面の簡単な説明】
【０００８】
【図１】Ｋｕ７０抗原を感作したＥＬＩＳＡプレートを用いて健常人検体、原発性肝細胞癌患者のＫｕ７０に対する自己抗体を測定した結果である。
【発明を実施するための形態】
【０００９】
本発明のＫｕ７０に対する自己抗体の免疫測定方法は、検体中のＫｕ７０に対する自己抗体と試薬としてのＫｕ７０抗原とを反応させ、生成するＫｕ７０に対する自己抗体とＫｕ７０抗原との免疫複合体を測定することにより、Ｋｕ７０に対する自己抗体を測定することを特徴とする。
【００１０】
本発明において、検体とは、生体由来の試料が好適で、特に、血液由来検体が好適であり、血液由来検体としては、全血、血漿、血清を例示できる。
【００１１】
本発明の免疫測定方法の測定対象は、Ｋｕ７０に対する自己抗体である。Ｋｕ７０は、前記したとおり、二重鎖ＤＮＡ切断に関与する蛋白質であり、その正式名は、ＡＴＰ−ｄｅｐｅｎｄｅｎｔ  ＤＮＡ  ｈｅｌｉｃａｓｅ  ２  ｓｕｂｕｎｉｔ  １であり、別名としてＸＲＣＣ６とも言われている。また、Ｋｕ７０は、米国の国立生物工学情報センター（ＮＣＢＩ）の受け入れ番号（ａｃｃｅｓｓｉｏｎ  Ｎｏ）が  Ｐ１２９５６である、６０９個のアミノ酸からなる７０ｋＤａの蛋白質である。Ｋｕ７０に対する自己抗体は、生体内でＫｕ７０蛋白質が高発現した時に生体内の自己免疫応答により産生されるＫｕ７０に対する抗体である。
【００１２】
本発明の免疫測定方法を実施するには、試薬としてのＫｕ７０抗原を用いる。試薬としてのＫｕ７０抗原としては、Ｋｕ７０に対する自己抗体と抗原抗体反応しうる抗原であれば特に限定しないが、Ｋｕ７０全長蛋白質、Ｋｕ７０全長蛋白質の変異体であって該蛋白質と同様のＫｕ７０に対する自己抗体と抗原抗体反応しうる機能を有し且つ該アミノ酸配列と９０％以上の相同性を有する蛋白質もしくはＫｕ７０全長蛋白質のアミノ酸配列において１個から数個（例えば、２から５個）のアミノ酸残基が欠失、置換もしくは付加したアミノ酸配列を有する蛋白質である変異体、Ｋｕ７０の断片ペプチドであってＫｕ７０の自己抗体と抗原抗体反応しうるペプチドを例示できる。Ｋｕ７０全長蛋白質は、Ａｂｎｏｖａ社などより入手可能な市販品であってもよい。全アミノ酸配列が上記の通り既知であるので、Ｋｕ７０全長蛋白質やその変異体は、遺伝子組換え技術によっても合成できる。本発明においてＫｕ７０の断片ペプチドを用いるときは、Ｋｕ７０全長蛋白質を酵素分解等によって各種のペプチド断片に切断して作成してもよく、市販の自動ペプチド合成装置を用いても容易に作成することもできる。また、Ｋｕ７０の断片ペプチドを遺伝子組み換え技術によっても作成することができる。
【００１３】
本発明においては、そのようにして得られたＫｕ７０全長蛋白質、その変異体や断片ペプチドを、Ｋｕ７０に対する自己抗体と反応させ抗原抗体反応をするものを選択して試薬としてのＫｕ７０抗原として用いることができる。本発明においては、上記した各ペプチド断片の全体のほか、それらの一部、あるいは、それらの混合物も使用でき、これらも試薬としてのＫｕ７０抗原に包含される。
【００１４】
本発明においてＫｕ７０に対する自己抗体を免疫測定するには、例えば、試薬としてのＫｕ７０抗原をマイクロプレートその他の水不溶性担体に固相化しておき、得られる水不溶性担体に該自己抗体を含有すると予想される検体を適用して試薬としてのＫｕ７０抗原と抗原抗体反応させて結合させ、次いで酵素等で標識した、Ｋｕ７０に対する自己抗体と結合する試薬、例えば、抗ヒトイムノグロブリン抗体、プロテインＡ、プロテインＧ、ＩｇＧポリクローナル抗体等を適用して該自己抗体に反応結合させる。
【００１５】
水不溶性担体の調製は、蛋白質を固相面に結合する既知の方法を用いて容易に行うことができる。例えば、固相化担体としては、通常、ビーズ、マイクロプレート、チューブ等が用いられる。これらの固相面に試薬としてのＫｕ７０抗原を結合する方法としては、物理吸着、化学結合等既知の固定化技術が適宜利用できる。
このようにして固相化したＫｕ７０抗原とその自己抗体含有検体とを接触させると、Ｋｕ７０に対する自己抗体のみが特異的に試薬としてのＫｕ７０抗原と結合する。そこで、酵素等で標識した、Ｋｕ７０に対する自己抗体と結合する試薬、例えば、抗ヒトイムノグロブリン抗体、プロテインＡ、プロテインＧ、ＩｇＧポリクローナル抗体等を加えると、標識した抗ヒトイムノグロブリン抗体、プロテインＡ、プロテインＧ、ＩｇＧポリクローナル抗体等はＫｕ７０に対する自己抗体と結合するので、この標識を利用して測定を行うことができる。
【００１６】
標識としては、酵素、ラジオアイソトープ、ＦＩＴＣ、ローダミン、ルミノールといった蛍光物質、化学発光物質等常用される標識が適宜使用される。これらの各種標識を用いて、酵素免疫測定方法、放射免疫測定方法、蛍光免疫測定方法、化学発光免疫測定方法等の方法により、Ｋｕ７０に対する自己抗体を測定することができる。
酵素免疫測定方法に用いる標識酵素としては、西洋ワサビペルオキシダーゼ、ウシ小腸アルカリフォスファターゼ、β−ガラクトシダーゼ、ウレアーゼ、グルコースオキシダーゼ等の酵素免疫分析法（ＥＩＡ）に常用される酵素が適宜使用され、これらの酵素に適合しＥＩＡで常用される発色基質が適宜使用される。発色基質としては、例えばＨＲＰの場合は、３，３′，５，５′−テトラメチルベンジジン（ＴＭＢＺ）、ＴＭＢＺ・ＨＣｌ、ＴＭＢＺ・ＰＳ、ＡＢＴＳ、ｏ−フェニレンジアミン、ｐ−ヒドロキシフェニル酢酸等が使用され、アルカリフォスファターゼの場合は、ｐ−ニトロフェニルフォスフェート、４−メチルウンベリフェリルフォスフェート等が使用され、β−ガラクトシダーゼの場合は、ｏ−ニトロフェニル−β−Ｄ−ガラクトピラノシド、４−メチルウンベリフェリルβ−Ｄ−ガラクトピラノシド等が使用される。
放射免疫測定方法、蛍光免疫測定方法、化学発光免疫測定方法等においても、通常用いられる公知の標識を採用することができる。
本発明の免疫測定方法においては、上記した方法のほか、ウエスタンブロット法、免疫組織染色法、ラテックス免疫比濁法及び免疫沈降法等の免疫測定法、液体クロマトグラフィー法によっても、Ｋｕ７０に対する自己抗体を測定することができる。
【００１７】
本発明の免疫測定方法は、試薬成分として少なくともＫｕ７０抗原を含む、Ｋｕ７０に対する自己抗体免疫測定用キットにより実施することができる。Ｋｕ７０抗原は、例えば、マイクロプレートなどの水不溶性担体に結合させた形態で、キットの試薬成分とすることができる。キットの他の試薬成分としては、酵素等で標識した、Ｋｕ７０に対する自己抗体と結合する試薬、例えば、抗ヒトイムノグロブリン抗体、プロテインＡ、プロテインＧ、ＩｇＧポリクローナル抗体等が挙げられ、これらの抗ヒトイムノグロブリン抗体、プロテインＡ、プロテインＧ、ＩｇＧポリクローナル抗体等は、採用する酵素免疫測定方法、放射免疫測定方法、蛍光免疫測定方法、化学発光免疫測定方法などの測定方法に応じて、酵素、放射性同位元素、蛍光物質、化学発光物質などの標識物で標識されたものが用いられる。その他の試薬成分として、界面活性剤、緩衝剤を適宜、加えてもよい。
【００１８】
本発明においては、Ｋｕ７０に対する自己抗体を測定することにより、癌判定をすることができる。Ｋｕ７０に対する自己抗体の量が多いと、原発性肝癌（原発性肝細胞癌、原発性胆管細胞癌など）、転移性肝癌等の肝癌、膀胱癌、乳癌、肺癌、卵巣癌、前立腺癌、甲状腺癌、皮膚癌などの癌が疑われ、本発明によりＫｕ７０に対する自己抗体を測定することは、癌疾患の存在や判別に有効である。本発明においては、特に原発性肝細胞癌の判定に有効であり、初発原発性肝細胞癌や再発原発性肝細胞癌を判定することができる。
【実施例】
【００１９】
以下、本発明を実施例により更に詳細に説明するが、本発明は、これら実施例に何ら制限されるものではない。
実施例１
Ｋｕ７０に対する自己抗体の測定
健常人、及び原発性肝細胞癌患者から採取した血清検体について、Ｋｕ７０に対する自己抗体を、以下に具体的に説明する酵素免疫測定法（ＥＬＩＳＡ法）にて測定した。
【００２０】
１．方法
（１）Ｋｕ７０のＥＬＩＳＡプレートの作成
水不溶性担体としてＥＬＩＳＡプレート（Ｎｕｎｃ社製，Ｍａｘｉｓｏｒｐ）を用い、それにＫｕ７０としてＸＲＣＣ６全長蛋白質（Ａｂｎｏｖａ社製１μｇ／ｍＬ，１００μＬ／ｗｅｌｌ）を室温で１時間振とうして感作し、その後、０．０５％Ｔｗｅｅｎ２０を含むＰＢＳ（３００μＬ／ｗｅｌｌ）で３回洗浄を行った。ついで、ＮＯＦ１０１（日油社製,３００μＬ／ｗｅｌｌ）にて室温で１時間振とうし、コーティングした。その後、サンプル血清の希釈液を添加する前に、０．０５％Ｔｗｅｅｎ２０を含むＰＢＳ（３００μＬ／ｗｅｌｌ）で３回洗浄した。
【００２１】
（２）Ｋｕ７０に対する自己抗体の測定
検体として、健常人５４症例から採取したサンプル血清、初発原発性肝細胞癌および再発原発性肝細胞癌の患者４２症例から採取したサンプル血清を用いた。各サンプル血清は０．０５％Ｔｗｅｅｎ２０を含むＰＢＳにて１００倍に希釈し、それを１００μＬ／ｗｅｌｌずつＫｕ７０のＥＬＩＳＡプレートに加え、室温で１時間振とうし、その後、そのプレートを０．０５％Ｔｗｅｅｎ２０を含むＰＢＳ（３００μＬ／ｗｅｌｌ）で３回洗浄した。検出はＨＲＰ標識されたプロテインＡ（Ｉｎｖｉｔｒｏｇｅｎ社製）を０．５％Ｔｗｅｅｎ２０を含むＰＢＳにて４０００倍に希釈し、１００μＬ／ｗｅｌｌずつ加え、室温で１時間振とうした。ついで、０．０５％Ｔｗｅｅｎ２０を含むＰＢＳ（３００μＬ／ｗｅｌｌ）で３回洗浄した後、ＴＭＢを１００μＬ／ｗｅｌｌずつ加え、１０分間室温で静置の後、反応停止剤として１００μＬ／ｗｅｌｌの１Ｎ硫酸を加えた。吸光度はマイクロプレートリーダー（ＢｉｏＲａｄ社製）を用いて、波長４５０ｎｍにて測定を行った。
【００２２】
２．結果
Ｋｕ７０のＥＬＩＳＡプレートを用いてＫｕ７０に対する自己抗体を測定した結果を、図１に示す。有意差検定はＫａｌｅｉｄａＧｒａｐｈ４．０を用い、Ｗｉｌｃｏｘｏｎの２標本検定にて統計処理した。
図１に示すように、健常人群と比較し、原発性肝細胞癌患者検体群には、Ｋｕ７０に対する自己抗体の量が多く、明らかな有意差を認めた。したがって、Ｋｕ７０に対する自己抗体の測定により、原発性肝細胞癌の判定が可能であることが明らかとなった。
【産業上の利用可能性】
【００２３】
以上に詳細に説明したように、血液由来検体などの検体中のＫｕ７０に対する自己抗体を、試薬としてのＫｕ７０抗原と反応させて、生成する自己抗体とＫｕ７０抗原との免疫複合体を測定することにより、その自己抗体を測定することができ、それによって、原発性肝細胞癌などの癌判定が可能である。このような判定を、原発性肝細胞癌マーカーとして広く使用されているＡＦＰやＰＩＶＫＡＩＩによる判定と組み合わせることにより、更に高感度で原発性肝細胞癌などの癌患者を判定することができる。
【図１】
2014240772.tif 000002